【手続補正書】
【提出日】平成27年6月26日(2015.6.26)
【手続補正１】
【補正対象書類名】明細書
【補正対象項目名】０００１
【補正方法】変更
【補正の内容】
【０００１】
本発明は、電子部品及びコネクタが実装される制御基板と、当該制御基板を内部に収納するための基板ボックスと、を備えた遊技機に関する。
【手続補正２】
【補正対象書類名】明細書
【補正対象項目名】０００５
【補正方法】変更
【補正の内容】
【０００５】
しかしながら、上記した特許文献１記載の遊技機には、基板ボックスの不正開封を発見し難いという問題がある。
【手続補正３】
【補正対象書類名】明細書
【補正対象項目名】０００６
【補正方法】変更
【補正の内容】
【０００６】
本発明は上記した問題点を解決するためになされたものであり、封止手段の破壊による基板ボックスの不正開封を発見し易くすることが可能な遊技機を提供することを目的とする。
【手続補正４】
【補正対象書類名】明細書
【補正対象項目名】０００７
【補正方法】変更
【補正の内容】
【０００７】
以上の課題を解決するため、請求項１に記載の発明は、
電子部品及びコネクタが実装される制御基板と、当該制御基板を内部に収納するための基板ボックスと、を備えた遊技機において、
前記基板ボックスは、
前記制御基板を収納する閉止空間を画成する第１ケース部材及び第２ケース部材と、
前記閉止空間を画成するように合体させた前記第１ケース部材と前記第２ケース部材とを離反不能に結合することが可能な封止手段と、を備え、
前記封止手段は、
前記制御基板の側方に位置するように前記第１ケース部材に設けられる第１結合部と、
前記第１結合部に対応させて前記第２ケース部材に設けられる第２結合部と、
前記第１結合部と前記第２結合部とを結合するための結合部材と、を備え、
前記第１結合部は、前記第２結合部を内部に収容して内包するための収容空間が形成される収容部と、前記結合部材を挿通するための挿通口が形成される挿通部と、を有し、
前記挿通部は、前記制御基板の厚み方向と直交する所定の方向に前記収容部と並ぶように位置し、
前記第１ケース部材と前記第２ケース部材とを合体させると、前記第２結合部は前記収容空間の入口から当該収容空間の内部に臨んで前記第１結合部に内包された状態になるとともに前記挿通部と前記所定の方向に並び、
前記結合部材を前記所定の方向に前記挿通部から前記第２結合部に挿通することで前記第１結合部と当該第２結合部が結合し、
前記収容部の前記挿通部とは反対側に前記第１結合部の一部を配設することで、前記収容空間を形成し、
前記第１結合部は、前記第１ケース部材から切り離すことが可能に連結する切断部を介して、前記第１ケース部材に設けられることを特徴とする。
【手続補正５】
【補正対象書類名】明細書
【補正対象項目名】０００８
【補正方法】変更
【補正の内容】
【０００８】
請求項１に記載の発明によれば、封止手段の破壊による基板ボックスの不正開封を発見し易くすることが可能となる。
【手続補正６】
【補正対象書類名】明細書
【補正対象項目名】００２６
【補正方法】変更
【補正の内容】
【００２６】
本発明によれば、封止手段の破壊による基板ボックスの不正開封を発見し易くすることが可能となる。
【手続補正７】
【補正対象書類名】明細書
【補正対象項目名】００５５
【補正方法】変更
【補正の内容】
【００５５】
また、上壁２２０には、例えば図５（ａ）、図７（ａ）に示すように、露出用切欠部２２１のうちの挿入開口２００ａ側とは反対側の部分を閉塞する侵入防止壁２２３が設けられている。
また、右側壁２４０には、例えば図５（ａ）に示すように、当該右側壁２４０の上端部のうちの後端から前後方向中央よりも前側の所定位置までに亘って、右側端封止手段５００に取り付けられた保護カバー部材７００の位置ズレを規制するためのストッパー２４１が設けられている。
また、挿入開口２００ａに対向する前側壁２５０（奥側壁）は、例えば図６（ａ），（ｂ）、図７（ｂ）に示すように、左右方向中央よりも左側の所定位置と右側の所定位置とのそれぞれに、前第２固着部６２０（後述）を挿通可能な挿通口２５１（収容空間の入口）を有している。
【手続補正８】
【補正対象書類名】明細書
【補正対象項目名】０１２６
【補正方法】変更
【補正の内容】
【０１２６】
封止手段のうちの挿入端封止手段６００は、例えば図４に示すように、第１ケース部材２００及び第２ケース部材３００の前側端の左右二箇所に設けられており、それぞれ、第１ケース部材２００に設けられて、収納空間Ｓ＊内に配置された（閉止空間Ｓに収納された）遊技制御基板１１０の前側方に位置する前第１固着部６１０（第１結合部）と、前第１固着部６１０に対応させて第２ケース部材３００に設けられて、収納空間Ｓ＊内に配置された（閉止空間Ｓに収納された）遊技制御基板１１０の前側方に位置する前第２固着部６２０（第２結合部）と、前第１固着部６１０と前第２固着部６２０とに挿通されて、当該前第１固着部６１０と当該前第２固着部６２０とを固着するための前固着部材６３０（結合部材）と、を備えて構成される。
ここで、前固着部材６３０は、左固着部材４３０や右固着部材５３０と同様、一方向（螺合方向）にしか廻せないワンウェイねじであり、一旦螺合すると取り外すことができないよう構成されている。すなわち、前固着部材６３０は、前第１固着部６１０と前第２固着部６２０とをかしめるよう構成されている。
【手続補正９】
【補正対象書類名】明細書
【補正対象項目名】０１２９
【補正方法】変更
【補正の内容】
【０１２９】
前第１固着部６１０は、例えば図６（ａ），（ｂ）に示すように、内部に挿通口２５１から突出した前第２固着部６２０を収容可能な空間が形成された収容部６１０ａと、内部に前固着部材６３０を挿通可能な貫通孔が左右方向に沿って形成された筒状部６１０ｂ（挿通部）と、内部に前固着部材６３０を螺合するねじ止め部が左右方向に沿って形成されたねじ受部６１０ｃと、を有しており、当該前第１固着部６１０と第１ケース部材２００とを分離可能に連結する前第１脆弱部６１１（切断部）を介して、第１ケース部材２００に直接設けられている。
【手続補正１０】
【補正対象書類名】明細書
【補正対象項目名】０１９８
【補正方法】変更
【補正の内容】
【０１９８】
第２実施形態の挿入端封止手段８００は、例えば図２７（ａ）、図２８（ａ）、図２９（ａ），（ｂ）に示すように、第１ケース部材２００及び第２ケース部材３００の前側端の左右二箇所に設けられており、それぞれ、第１ケース部材２００に設けられて、収納空間Ｓ＊内に配置された（閉止空間Ｓに収納された）遊技制御基板１１０の前側方に位置する前第１固着部８１０（第１結合部）と、前第１固着部８１０に対応させて第２ケース部材３００に設けられて、収納空間Ｓ＊内に配置された（閉止空間Ｓに収納された）遊技制御基板１１０の前側方に位置する前第２固着部８２０（第２結合部）と、前第１固着部８１０と前第２固着部８２０とに挿通されて、当該前第１固着部８１０と当該前第２固着部８２０とを固着するための前固着部材８３０，８３０（結合部材）と、を備えて構成される。
ここで、前固着部材８３０は、左固着部材４３０や右固着部材５３０と同様、一方向（螺合方向）にしか廻せないワンウェイねじであり、一旦螺合すると取り外すことができないよう構成されている。すなわち、前固着部材８３０は、前第１固着部８１０と前第２固着部８２０とをかしめるよう構成されている。
【手続補正１１】
【補正対象書類名】明細書
【補正対象項目名】０２０３
【補正方法】変更
【補正の内容】
【０２０３】
前第１固着部８１０は、例えば図２７（ａ），（ｂ），（ｃ）に示すように、第１ケース部材２００に直接設けられた前第１内側固着部８１１と、前第１内側固着部８１１に設けられて、当該前第１内側固着部８１１よりも外側（前側）に位置する前第１外側固着部８１２と、第１ケース部材２００と前第１内側固着部８１１とを分離可能に連結する前第１内側脆弱部８１３（切断部）と、前第１内側固着部８１１と前第１外側固着部８１２とを分離可能に連結する前第１外側脆弱部８１４（切断部）と、を備えている。すなわち、前第１内側固着部８１１及び前第１外側固着部８１２は、前第１外側脆弱部８１４を介して、閉止空間Ｓに収納された遊技制御基板１１０の厚み方向（上下方向）に直交する方向（左右方向）に並んで配設されている。
【手続補正１２】
【補正対象書類名】明細書
【補正対象項目名】０２０４
【補正方法】変更
【補正の内容】
【０２０４】
前第１固着部８１０は、例えば図２７（ｃ）に示すように、内部に挿通口２５１から突出した前第２固着部８２０を収容可能な空間が形成された収容部８１０ａを有している。
また、前第１内側固着部８１１は、内部に前固着部材８３０を挿通可能な貫通孔が左右方向に沿って形成された筒状部８１１ｂ（挿通部）と、内部に前固着部材８３０を螺合するねじ止め部が左右方向に沿って形成されたねじ受部８１１ｃと、を有している。
また、前第１外側固着部８１２は、内部に前固着部材８３０を挿通可能な貫通孔が左右方向に沿って形成された筒状部８１２ｂと、内部に前固着部材８３０を螺合するねじ止め部が左右方向に沿って形成されたねじ受部８１２ｃと、を有している。
【手続補正１３】
【補正対象書類名】特許請求の範囲
【補正対象項目名】全文
【補正方法】変更
【補正の内容】
【特許請求の範囲】
【請求項１】
電子部品及びコネクタが実装される制御基板と、当該制御基板を内部に収納するための基板ボックスと、を備えた遊技機において、
前記基板ボックスは、
前記制御基板を収納する閉止空間を画成する第１ケース部材及び第２ケース部材と、
前記閉止空間を画成するように合体させた前記第１ケース部材と前記第２ケース部材とを離反不能に結合することが可能な封止手段と、を備え、
前記封止手段は、
前記制御基板の側方に位置するように前記第１ケース部材に設けられる第１結合部と、
前記第１結合部に対応させて前記第２ケース部材に設けられる第２結合部と、
前記第１結合部と前記第２結合部とを結合するための結合部材と、を備え、
前記第１結合部は、前記第２結合部を内部に収容して内包するための収容空間が形成される収容部と、前記結合部材を挿通するための挿通口が形成される挿通部と、を有し、
前記挿通部は、前記制御基板の厚み方向と直交する所定の方向に前記収容部と並ぶように位置し、
前記第１ケース部材と前記第２ケース部材とを合体させると、前記第２結合部は前記収容空間の入口から当該収容空間の内部に臨んで前記第１結合部に内包された状態になるとともに前記挿通部と前記所定の方向に並び、
前記結合部材を前記所定の方向に前記挿通部から前記第２結合部に挿通することで前記第１結合部と当該第２結合部が結合し、
前記収容部の前記挿通部とは反対側に前記第１結合部の一部を配設することで、前記収容空間を形成し、
前記第１結合部は、前記第１ケース部材から切り離すことが可能に連結する切断部を介して、前記第１ケース部材に設けられることを特徴とする遊技機。